(57)【特許請求の範囲】
【請求項１】
複数の開閉体構成部材を上下方向へスライドさせて空間を仕切ったり開放したりする開閉体と、各開閉体構成部材の幅方向の端部側を囲んで開閉方向へ案内するガイドレールと、前記開閉体を上方側で収納する収納装置と、前記ガイドレール内で前記開閉体と前記収納装置との間にわたる電線とを具備し、前記開閉体の閉鎖動作に伴い前記電線を繰り出し、前記開閉体の開放動作に伴い前記電線を収納するようにした開閉装置において、
各開閉体構成部材の幅方向の端部には、その幅方向へ突出するようにロッド部材が設けられ、
前記電線は、前記ロッド部材によって開閉体構成部材の端部から離れた位置を通るように案内され、
前記ロッド部材を軸心にして回動可能な回転体が設けられ、
前記電線は、前記回転体に係合して開閉体の動作方向へ案内されていることを特徴とする開閉装置。
【請求項２】
前記回転体には、前記電線を挿通可能な電線挿通孔が設けられ、
前記電線は、前記電線挿通孔に挿通されていることを特徴とする請求項１記載の開閉装置。
【請求項３】
前記ロッド部材を連結するチェーン部材を具備し、該チェーン部材を前記収納装置側から牽引することにより前記開閉体構成部材を開放方向へ移動するようにした開閉装置であって、
前記電線は、前記開閉体構成部材の幅方向端部と前記チェーン部材との間に配設されていることを特徴とする請求項１又は２記載の開閉装置。
【請求項４】
前記回転体は、その中心部に前記ロッド部材を嵌挿させるためのロッド挿通孔を有するとともに、外周側の部位には、前記電線を挿通させるための電線挿通孔を有することを特徴とする請求項１乃至３何れか１項記載の開閉装置。
【請求項５】
前記回転体は、複数の前記電線挿通孔を有し、これら電線挿通孔の内の二つに、前記電線を挿通していることを特徴とする請求項４記載の開閉装置。
【発明の詳細な説明】
【技術分野】
【０００１】
本発明は、開閉体の開閉動作に伴って電線を繰り出したり収納したりするようにしている開閉装置に関し、特にパネルシャッター装置として好適な開閉装置に関するものである。
【背景技術】
【０００２】
従来、この種の発明には、例えば、特許文献１に記載されたもののように、シャッターカーテン下端の座板スイッチと、シャッターカーテン上方の制御回路との間に電線（コード８）が設けられ、この電線を、シャッターカーテンの開閉動作に伴い上方側のコードリール（９）によって巻き取ったり繰り出したりするようにした開閉装置がある。
【０００３】
前記従来技術において、電線をガイドレール内で前記シャッターカーテンに沿わせようとした場合、その電線がシャッターカーテンの端部に干渉して損傷してしまうおそれがある。
また、複数の開閉体構成部材（パネル）をチェーン部材によって連結している所謂パネルシャッター装置において、前記のように電線を設けるようにした場合には、電線がチェーン部材に干渉して損傷してしまうおそれがある。
【特許文献１】特開２０００−２３０３８３号公報
【発明の開示】
【発明が解決しようとする課題】
【０００４】
本発明は上記従来事情に鑑みてなされたものであり、その課題とする処は、開閉体の開閉動作に伴い移動する電線が、開閉体の幅方向端部側の部材との干渉により損傷してしまうのを防ぐことができる開閉装置を提供することにある。
【課題を解決するための手段】
【０００５】
上記課題を解決するための技術的手段は、複数の開閉体構成部材を上下方向へスライドさせて空間を仕切ったり開放したりする開閉体と、各開閉体構成部材の幅方向の端部側を囲んで開閉方向へ案内するガイドレールと、前記開閉体を上方側で収納する収納装置と、前記ガイドレール内で前記開閉体と前記収納装置との間にわたる電線とを具備し、前記開閉体の閉鎖動作に伴い前記電線を繰り出し、前記開閉体の開放動作に伴い前記電線を収納するようにした開閉装置において、各開閉体構成部材の幅方向の端部には、その幅方向へ突出するようにロッド部材が設けられ、前記電線は、前記ロッド部材によって開閉体構成部材の端部から離れた位置を通るように案内され、前記ロッド部材を軸心にして回動可能な回転体が設けられ、前記電線は、前記回転体に係合して開閉体の動作方向へ案内されていることを特徴とする。
【発明を実施するための最良の形態】
【０００６】
本発明を実施するための一形態は、複数の開閉体構成部材を上下方向へスライドさせて空間を仕切ったり開放したりする開閉体と、各開閉体構成部材の幅方向の端部側を囲んで開閉方向へ案内するガイドレールと、前記開閉体を上方側で収納する収納装置と、前記ガイドレール内で前記開閉体と前記収納装置との間にわたる電線とを具備し、前記開閉体の閉鎖動作に伴い前記電線を繰り出し、前記開閉体の開放動作に伴い前記電線を収納するようにした開閉装置において、各開閉体構成部材の幅方向の端部には、その幅方向へ突出するようにロッド部材が設けられ、前記電線は、前記ロッド部材によって開閉体構成部材の端部から離れた位置を通るように案内されている。
この形態によれば、電線は、ロッド部材によって、開閉体構成部材の端部から離れた位置を開閉体開閉方向へ案内される。
したがって、電線が、上下に隣り合う開閉体構成部材の間に挟まれたり、開閉体構成部材の端部に接触したり等して、損傷してしまうのを防ぐことができる。
更なる形態では、前記ロッド部材を軸心にして回動可能な回転体が設けられ、前記電線は、前記回転体に係合して開閉体の動作方向へ案内されている。
この形態によれば、回転体の回動により、ロッド部材に対し電線を柔軟に係合させることができ、ひいては、電線に過大な張力が生じるようなことを防ぐことができる。
【０００７】
更なる形態では、前記回転体には、前記電線を挿通可能な電線挿通孔が設けられ、前記電線は、前記電線挿通孔に挿通されている。
この形態によれば、電線を回転体に係合する具体的態様を提供することができる。
【０００８】
更なる形態では、前記ロッド部材を連結するチェーン部材を具備し、該チェーン部材を前記収納装置側から牽引することにより前記開閉体構成部材を開放方向へ移動するようにした開閉装置であって、前記電線は、前記開閉体構成部材の幅方向端部と前記チェーン部材との間に配設されている。
この形態によれば、電線がチェーン部材との干渉により損傷してしまうのを防ぐことができる。
【０００９】
なお、本明細書中において「開閉体開閉方向」とは、開閉体が空間を仕切ったり開放したりするためにスライドする方向を意味する。
また、本明細書中において「開閉体幅方向」とは、前記開閉体開閉方向と略直交する方向であって、開閉体の厚さ方向ではない方向を意味する。
【００１０】
上記形態は、以上説明したように構成されているので、以下に記載されるような作用効果を奏する。
電線が、ロッド部材により、開閉体構成部材から離れた位置を開閉体開閉方向へわたって案内される。したがって、電線が、開閉体構成部材の端部等、開閉体の幅方向端部側の部材との干渉により損傷してしまうのを防ぐことができる。
【００１１】
以下、上記形態の具体例を、図面に基づいて説明する。
この開閉装置１は、複数の開閉体構成部材１１を上下方向へスライドさせて空間を仕切ったり開放したりする開閉体１０と、各開閉体構成部材１１の幅方向の端部側を囲んで開閉方向へ案内するガイドレール２０と、開閉体構成部材１１をその上方側で収納したり繰り出したりする収納装置３０とを備え（図１参照）、前記開閉体１０に組み込まれた電飾部材４０の電線４１をガイドレール２０内で上方へ導き収納装置３０内の制御回路３９（図２及び図３参照）に接続している。
【００１２】
開閉体１０は、複数の開閉体構成部材１１と、各開閉体構成部材１１の幅方向端部に設けられたロッド部材１２と、複数のロッド部材１２を連結するチェーン部材１３とを具備し、前記チェーン部材１３により開閉体構成部材１１の幅方向端部を吊持するように構成されている。
また、複数の開閉体構成部材１１の内の一つには、電飾部材４０が表面側へ露出されるように組み込まれ、その電線４１が前記ロッド部材１２によって開閉体１０の動作方向へ案内されている。
【００１３】
各開閉体構成部材１１は、上下左右の枠体１１ａとこれら枠体１１ａ内のパネル１１ｂとから、左右方向へ長尺な矩形板状に構成されている。
各開閉体構成部材１１の幅方向（図１によれば左右方向）の両端部には、それぞれ、該端部から前記幅方向へ突出するようにロッド部材１２が止着されている。
また、各開閉体構成部材１１の上下端部側には、開閉体構成部材１１を収納装置３０内へ収納する際のガイドとなるガイドローラ１１ｃ，１１ｄが回動自在に支持されている（図２参照）。
【００１４】
ロッド部材１２は、金属等の剛体からなる軸状の部材であり、その先端部には、ローラ１２ａが回動自在に支持されている。
また、ロッド部材１２における前記ローラ１２ａと開閉体構成部材１１の幅方向端部との間には、チェーン部材１３及び回転体１４が設けられ、更に、回転体１４には電線４１が係合している。
【００１５】
チェーン部材１３は、動力伝達用等に用いられる所謂ローラチェーンであり、その長さ方向において所定間隔置きにロッド部材１２を回動可能に挿通させている。このチェーン部材１３は、ロッド部材１２に対し軸方向へ移動しないように、ロッド部材１２外周に設けられた環状溝内に嵌め合せられている。
このチェーン部材１３は、上下方向へわたるすべての開閉体構成部材１１を連結し、その上端側が収納装置３０のスプロケット３２（図２参照）に掛けられている。
このチェーン部材１３の最上端部は、図示を省略するが、収納ケース３１に対しブラケットを介して所定量移動可能に止着されている。
【００１６】
回転体１４は、チェーン部材１３と開閉体構成部材１１の幅方向端部との間において、ロッド部材１２に対し、回動自在であって且つ軸方向へ移動不能に支持されている。
この回転体１４は、より詳細に説明すれば、図５に示すように、略円盤状を呈し、その中心部に前記ロッド部材１２を嵌挿させるためのロッド挿通孔１４ａを有するとともに、外周側の部位には、複数の電線挿通孔１４ｂを有する。
各電線挿通孔１４ｂは、ロッド挿通孔１４ａと同じ向きに回転体１４を貫通する孔である。換言すれば、電線挿通孔１４ｂとロッド挿通孔１４ａは、略平行に設けられる。
回転体１４をロッド部材１２に対し軸方向へ移動不能にする構造は、例えば、ロッド部材１２の外周に凹部又は凸部を形成し、この凹部又は凸部に対し回転体１４を嵌め合わせるようにすればよい。
回転体１４をロッド部材１２に対し軸方向へ移動不能にする構造の他例としては、ロッド挿通孔１４ａ内縁に設けられて軸方向の両側へ突出する環状のリブ部１４ａ１，１４ａ２（図４参照）を、それぞれ開閉体構成部材１１とチェーン部材１３に当接させて、回転体１４の軸方向への移動を規制する構造としてもよい。
【００１７】
電線挿通孔１４ｂは、図示例によれば四つ設けられる。そして、これら四つの電線挿通孔１４ｂの内の二つには、電線４１が挿通される。
電線４１は、詳細に説明すれば軟質合成樹脂材料からなる絶縁体により被覆された可撓性の金属製導体である。この電線４１は、回転体１４におけるチェーン部材１３側（図４によれば右側）の面から一つの電線挿通孔１４ｂに挿通され、同回転体１４における開閉体１０端部側（図４によれば左側）の面から他の電線挿通孔１４ｂに挿通され、開閉体構成部材１１の移動方向へ導かれている。
【００１８】
電線４１の一旦側は、電飾部材４０の本体部４２に電気的に接続される。
電飾部材４０は、電線４１からの電源供給により、本体部４２に設けられた発光ダイオード等の発光体を点灯させるように構成される。
電線４１の電源側は、前記ロッド部材１２および回転体１４により収納装置３０内へ導かれ、制御回路３９に電気的に接続される。
【００１９】
また、ガイドレール２０は、開閉体１０の幅方向の端部側にそれぞれ設けられ、開閉体構成部材１１の幅方向の端部側部分、チェーン部材１３、電線４１、及び回転体１４を、略凹状に囲んで上下方向へ導く。
【００２０】
収納装置３０は、収納ケース３１内に、チェーン部材１３を掛け回したスプロケット３２と、該スプロケット３２を電動で双方向へ回転させる駆動機構３３（例えば、回転モータやチェーン、スプロケット等からなる）と、開閉体構成部材１１を略水平方向へ案内するレール３４と、開閉体構成部材１１上下のガイドローラ１１ｃ，１１ｄをガイドして開閉体構成部材１１の振れを防ぐガイド部３５ａ，３５ｂと、電線４１の収納ケース３１内奥側の部分を支持するロッド部材１２’及び回転体１４とを具備している（図２及び図３参照）。
【００２１】
レール３４は、収納ケース３１における開閉体幅方向（図１によれば左右方向）の両側の内側面にそれぞれ配設される。そして、各レール３４は、スプロケット３２よりも奥側で前後方向（図２及び図３によれば左右方向）へわたり、略水平に固定されている。
【００２２】
ロッド部材１２’は、両レール３４，３４に掛け渡されるように長尺状に設けられ、その両端部各々に回動自在に支持されたローラ（図示せず）をレール３４上に転動させて前記前後方向へ移動する。
このロッド部材１２’の端部側であって前記ローラよりも内側には、上述したロッド部材１２と略同様にして回転体１４が設けられる。
ロッド部材１２’端部側の回転体１４は、最上部の開閉体構成部材１１端部の回転体１４から制御回路３９へ導かれる電線４１を中継するようにして、該電線４１の途中箇所に係合している。
【００２３】
収納装置３０によれば、スプロケット３２が一方向（図２によれば時計方向）へ回転すると、チェーン部材１３によって複数の開閉体構成部材１１が順次に上方へ牽引される。そして、各開閉体構成部材１１は、略垂直状に維持されたまま、移動方向が略水平方向へ変えられ、ローラ１２ａがレール３４に案内されることで、収納ケース３１の奥側へ移動する（図２参照）。
また、スプロケット３２が逆方向（図３によれば反時計方向）へ回転すると、チェーン部材１３によって複数の開閉体構成部材１１が順次に前方（図３によれば左方向）へ牽引される。そして、各開閉体構成部材１１は、チェーン部材１３に吊持されて略垂直状に維持されたまま、ガイドレール２０内を下方へ移動する（図３参照）。
上述した動作中、収納ケース３１内の奥側においては、電線４１の弛みがロッド部材１２’の回転体１４による中間支持によって軽減される。ひいては、電線４１が、大きく弛みすぎて、収納ケース３１内の他の部材に干渉するのを防ぐことができる。
【００２４】
前述した開閉動作の際、電線４１は、チェーン部材１３に対し略平行に維持される。
より詳細に説明すれば、複数の開閉体構成部材１１が上下方向へ移動する際、電線４１は、上下方向へわたるチェーン部材１３に対し略平行な垂直状態に維持される。
また、複数の開閉体構成部材１１が収納ケース３１内で略水平方向へ移動する際には、前後の開閉体構成部材１１，１１間でチェーン部材１３が弛むのと略同様に、前後の開閉体構成部材１１，１１間で電線４１も弛む。
【００２５】
よって、上記構成の開閉装置１によれば、電線４１は、ロッド部材１２及び回転体１４によって開閉体構成部材１１の幅方向端部から離れた位置であって、且つチェーン部材１３からも離れた位置に維持される。
そして、開閉体１０の開閉動作時には、電線４１が、開閉体構成部材１１及びチェーン部材１３等と共に、開閉体構成部材１１の移動方向へ移動する。
したがって、電線４１が開閉体構成部材１１やチェーン部材１３との干渉により損傷してしまうのを防ぐことができる。
【００２６】
また、開閉体１０の開閉動作に伴う電線４１の移動中、回転体１４がロッド部材１２に対し自在に回転するため、電線４１が過剰な張力を受けて損傷してしまうようなことも防ぐことができる。
【００２７】
なお、上記実施の形態によれば、回転体１４の四つの電線挿通孔１４ｂの内、二つの電線挿通孔１４ｂに電線４１を挿通させるようにしたが、他例としては、一つのみの電線挿通孔１４ｂに電線４１を挿通させたり、三以上の電線挿通孔１４ｂに電線４１を挿通させたりしてもよい。
また、上記実施の形態によれば、回転体１４に対し単一の電線４１を挿通させるようにしたが、他例としては、回転体１４に対し複数の電線（図示せず）が選択的に挿通されるようにしてもよく、この場合、各回転体１４の全ての電線挿通孔１４ｂに対し前記複数の電線が挿通されるようにしてもよいし、各回転体１４の一部の電線挿通孔１４ｂに対し前記複数の電線が挿通されるようにしてもよい。
【００２８】
また、上記実施の形態によれば、回転体１４の四つの電線挿通孔１４ｂが選択的に用いられるようにしたが、他例としては、回転体１４に設けられる電線挿通孔１４ｂの数を単数にしたり、二つや、三つ、五つ以上等とすることも可能である。
【００２９】
また、上記実施の形態によれば、電線４１を開閉体構成部材１１の幅方向端部とチェーン部材１３との間に配置したが、他例としては、電線４１をチェーン部材１３とローラ１２ａの間に配置することも可能である。
【００３０】
また、上記実施の形態によれば、電飾部材４０の電線４１を案内する構造としているが、他例としては、開閉体１０の最下端に設けられる障害物感知装置等の電源線や信号線を、上記同様にして案内する構造としてもよい。
【００３１】
また、上記実施の形態によれば、単一のロッド部材１２に対し回転体１４を単数設ける構成としたが、他例としては、単一のロッド部材１２に対し回転体１４を複数設け、これら複数の回転体１４によって単数もしくは複数の電線４１を案内する構造とすることも可能である。
【００３２】
また、電線挿通孔１４ｂに対する電線４１の挿通方向は、図示例に限定されるものでなく、適宜に選択可能である。
【００３３】
また、極性の異なる複数の電線を電線挿通孔１４ｂに挿通させる場合には、極性の異なる電線をそれぞれ別々の電線挿通孔１４ｂに挿通させるのが好ましい。この構成によれば、例えば、絶縁被覆の劣化や損傷があった場合でも、極性の異なる電線間でショートが生じるのを防ぐことができる。
【００３４】
また、回転体１４の材質は、金属、せともの、硬質樹脂、木等の硬質材料とすればよいが、他例としては、ゴムや、エラストマー樹脂等の軟質材料とすることも可能である。特に好ましい回転体１４の材質としては、前記硬質材料又は前記軟質材料の内、絶縁性を有する材料とする。
【００３５】
また、回転体１４の形状は、略円盤状のものに限定されず、例えば、略楕円形状や、略矩形状、多角形状等とすることが可能である。
【００３６】
また、電線４１の途中に接続箇所を有する場合、その接続箇所を、上下の回転体１４，１４間に設けるようにしてもよいし、回転体１４上に設けるようにしてもよい。なお、後者においては、一部の回転体１４に、全て又は一部の電線挿通孔１４ｂに代えて端子台を設け、この端子台によって電線４１を接続するようにしてもよい。
【００３７】
また、回転体１４は、電線４１がチェーン部材１３に沿う範囲におけるロッド部材１２に設ければよいが、前記範囲外にもロッド部材を有する場合には、そのロッド部材を含む全てのロッド部材に設けるようにしてもよい。
また、回転体１４は、開閉方向に並ぶ複数のロッド部材１２に対し、それぞれ設けるようにしてもよいが、他例としては、開閉方向に並ぶ複数のロッド部材１２に対し、適宜数置きに設けるようにしてもよい。
【００３８】
また、回転体１４は、開閉体構成部材１１の幅方向の両側部分に対しそれぞれ設けてもよいが、幅方向の一方のみに電線４１を有する場合等には、その一方の側のみに設けるようにしてもよい。
【００３９】
また、上記実施の形態によれば、収納ケース３１内におけるレール３４の奥側に、ロッド部材１２’及び回転体１４を設けるようにしたが、他例としては、前記奥側のロッド部材１２’及び回転体１４を省くことも可能である。
更に他例としては、前記奥側のロッド部材１２’及び回転体１４に代えて、収納ケース３１内の奥側にリール装置を設け、このリール装置によって電線４１を巻き取って、その弛みを解消するようにしてもよい。前記リール装置は、例えば、ぜんまいばねにより巻取体を巻き取り方向へ回転させる構造等とすればよい。
【００４０】
また、上記実施の形態によれば、各開閉体構成部材１１の幅方向端部にロッド部材１２を設けるとともに該ロッド部材１２に回転体１４を設け、この回転体１４によって電線４１を案内する構造としたが、他例としては、ロッド部材１２自体によって電線４１を直接案内する構造とすることも可能である。
この他例について、より具体的に説明すれば、ロッド部材１２に、溝や孔等、電線４１に係合する係合部（図示せず）を設け、このロッド部材１２の係合部を電線４１に係合させて、電線４１を開閉体構成部材１１の移動方向へ案内するようにすればよい。
【００４１】
また、上記実施の形態によれば、開閉装置１の一例として所謂パネルシャッター装置を構成しているが、他例としては、スラットシャッター装置や、オーバーヘッドドア等を構成することも可能である。
【図面の簡単な説明】
【００４２】
【図１】本発明に係わる開閉装置の一例を示す要部切欠正面図である。
【図２】同開閉装置の要部縦断面図であり、開放方向側の開閉体構成部材が収納ケースの奥側に位置する状態を示す。
【図３】同開閉装置の要部縦断面図であり、開放方向側の開閉体構成部材が収納ケースの手前側に位置する状態を示す。
【図４】同開閉装置の要部拡大図である。
【図５】回転体の一例を示す斜視図である。
【符号の説明】
【００４３】
１：開閉装置                    １０：開閉体
１１：開閉体構成部材            １２：ロッド部材
１３：チェーン部材              １４：回転体
２０：ガイドレール              ３０：収納装置
４０：電飾部材                  ４１：電線
【図１】
0005175580.tif 000002
【図２】
0005175580.tif 000003
【図３】
0005175580.tif 000004
【図４】
0005175580.tif 000005
【図５】
0005175580.tif 000006